(57)【特許請求の範囲】
【請求項１】
デジタルデータを送受信する伝送システムにおいて、送信側に、所定の高ビットレートの信号ストリームを同期コードと該信号ストリームの順番を示すタイムコードの付加された所定の低ビットレートのｎ(ｎは２以上の整数)系統の信号ストリームに配分して出力する配分部と、上記ｎ系統の信号ストリームをそれぞれ所定の低伝送レートで伝送するｎ系統の送信機を有し、受信側に、所定の低伝送レートで伝送された上記ｎ系統の信号ストリームをそれぞれ受信するｎ系統の受信機と、受信した上記ｎ系統の信号ストリームを当該各信号ストリームに付加された上記タイムコードに基づき元の所定の高ビットレートの信号ストリームに再統合する再統合部を有し、
上記配分部に、上記所定の高ビットレートの信号ストリームに所定周期で上記同期コードと上記タイムコードを付けた信号ストリームを生成するＴＳtc作成部と、上記同期コードと上記タイムコード付き信号ストリームをそれぞれの系統に対応する所定の信号ストリームに配分する制御を行うＴＳ作成制御部と、上記それぞれの系統に対応する所定の信号ストリームを取り込みそれぞれ所定の低伝送レートに合わせた信号ストリームに変換して出力するｎ系統のＴＳ作成部を有し、上記再統合部に、受信した上記ｎ系統の信号ストリームをそれぞれ記憶しそれぞれ付加された上記タイムコードを抽出するｎ系統のＴＣ抽出部と、抽出した上記各系統のタイムコードに従い上記ｎ系統のＴＣ抽出部からそれぞれ記憶されている信号ストリームを読み出すＴＳｒ制御部と、上記各系統のタイムコードに基づき取り込んだ上記ｎ系統の信号ストリームを上記元の所定の高ビットレートの信号ストリームになるよう統合する統合部を有することを特徴とする伝送システム。
【請求項２】
デジタルデータを送受信する伝送システムにおいて、送信側に、所定の高ビットレートの信号ストリームを該信号ストリームの順番を示すタイムコードの付加された所定の低ビットレートのｎ(ｎは２以上の整数)系統の信号ストリームに配分して出力する配分部と、上記ｎ系統の信号ストリームをそれぞれ所定の低伝送レートで伝送するｎ系統の送信機を有し、受信側に、所定の低伝送レートで伝送された上記ｎ系統の信号ストリームをそれぞれ受信するｎ系統の受信機と、受信した上記ｎ系統の信号ストリームを当該各信号ストリームに付加された上記タイムコードに基づき元の所定の高ビットレートの信号ストリームに再統合する再統合部を有し、
上記配分部に、上記所定の高ビットレートの信号ストリームに所定周期で上記タイムコードを付けた信号ストリームを生成するＴＳtc作成部と、上記タイムコード付き信号ストリームをそれぞれの系統に対応する所定の信号ストリームに配分する制御を行うＴＳ作成制御部と、上記それぞれの系統に対応する所定の信号ストリームを取り込みそれぞれ所定の低伝送レートに合わせた信号ストリームに変換して出力するｎ系統のＴＳ作成部を有し、上記再統合部に、受信した上記ｎ系統の信号ストリームをそれぞれ記憶しそれぞれ付加された上記タイムコードを抽出するｎ系統のＴＣ抽出部と、抽出した上記各系統のタイムコードに従い上記ｎ系統のＴＣ抽出部からそれぞれ記憶されている信号ストリームを読み出すＴＳｒ制御部と、上記各系統のタイムコードに基づき取り込んだ上記ｎ系統の信号ストリームを上記元の所定の高ビットレートの信号ストリームになるよう統合する統合部を有し、
上記ｎ系統のＴＳ作成部は、作成される信号ストリームに、適宜上記所定の低伝送レートに合わせるためのダミーデータストリームを所定のタイムコードを付けて挿入するものであることを特徴とする伝送システム。
【請求項３】
請求項１乃至２において、上記ＴＳtc作成部は、上記所定の高ビットレートの信号ストリームの同期コードを検出し、該同期コードの前に１ワードの上記タイムコードを付けた２０５ワード単位の信号ストリームを生成するものであることを特徴とする伝送システム。
【請求項４】
請求項１乃至２において、上記ＴＳtc作成部は、上記所定の高ビットレートの信号ストリームを２０２ワードを単位とし、同期コード１ワードと上記タイムコード１ワードを付加した信号ストリームを生成するものであることを特徴とする伝送システム。
【請求項５】
請求項１乃至２において、上記ＴＳtc作成部は、上記所定の高ビットレートの信号ストリームを２０３ワードを単位とし、同期コード１ワードと上記タイムコード１ワードを付加した信号ストリームを生成するものであることを特徴とする伝送システム。
【請求項６】
請求項２乃至５において、上記タイムコードとして０番から２５６−ｍ（ｍは自然数）までを使用し、２５６−ｍ＋1から２５６の整数の一つをダミー用コードとすることを特徴とする伝送システム。
【発明の詳細な説明】
【０００１】
【発明の属する技術分野】
本発明は、高ビットレートのデジタルデータを複数の系統に配分し、複数の伝送路でデジタル伝送する技術に関する。
【０００２】
【従来の技術】
昨今、デジタル信号処理により、映像信号をＭＰＥＧ−２方式で圧縮し、デジタル変調及び復調することによって、劣化の少ない安定した映像信号を伝送することができる。
現行のテレビジョン放送のロードレース中継等では、例えば８００ＭＨｚ帯の直交周波数分割多重(Orthogonal Frequency Division Multiplex:ＯＦＤＭ)方式のデジタルＦＰＵ(Field Pick-up Unit)が用いられている。  ここで、このデジタルＦＰＵは、移動中継車に搭載されたＴＶカメラで撮像した映像信号（最大８Ｍｂｉｔ／ｓのデジタルデータ）を受信点まで安定に伝送できる。
しかし、このビットレートでは、ＮＴＳＣ等、標準のテレビジョン方式（以下ＳＤＴＶと称す）の映像信号しか伝送できない。  昨今、待望されている高精細のテレビジョン方式(以下、ＨＤＴＶと称す)の映像信号は、ＳＤＴＶの約６倍の画素数を持っており、２２Ｍｂｉｔ／ｓ程度の伝送路が必要である。
【０００３】
【発明が解決しようとする課題】
以上説明したように、上記従来のデジタルＦＰＵでは、ＳＤＴＶの映像信号しか伝送できず、伝送容量を越えるＨＤＴＶの伝送ストリームは伝送困難であり、より高い圧縮を行わなければならず、画質低下した伝送ストリームを伝送せざるを得なかった。
本発明は、これらの欠点を除去し、高ビットレートの伝送ストリームを、汎用性が高いが伝送レートが低い複数の伝送装置で伝送できる伝送システムを実現することを目的とする。
【０００４】
【課題を解決するための手段】
本発明は、上記目的を達成するため、デジタルデータを送受信する伝送システムにおいて、送信側に、所定の高ビットレートの信号ストリームを該信号ストリームの順番を示すタイムコードの付加された所定の低ビットレートのｎ（ｎは２以上の整数）系統の信号ストリームに配分して出力する配分部と、上記ｎ系統の信号ストリームをそれぞれ所定の低伝送レートで伝送するｎ系統の送信機を有し、受信側に、所定の低伝送レートで伝送された上記ｎ系統の信号ストリームをそれぞれ受信するｎ系統の受信機と、受信した上記ｎ系統の信号ストリームを当該各信号ストリームに付加された上記タイムコードに基づき元の所定の高ビットレートの信号ストリームに再統合する再統合部を有する伝送システムである。
また、配分部に、所定の高ビットレートの信号ストリームに所定周期でタイムコードを付けた信号ストリームを生成するＴＳtc作成部と、タイムコード付き信号ストリームをそれぞれの系統に対応する所定の信号ストリームに配分する制御を行うＴＳ作成制御部と、それぞれの系統に対応する所定の信号ストリームを取り込みそれぞれ所定の低伝送レートに合わせた信号ストリームに変換して出力するｎ系統のＴＳ作成部を有し、再統合部に、受信したｎ系統の信号ストリームをそれぞれ記憶しそれぞれ付加されたタイムコードを抽出するｎ系統のＴＣ抽出部と、抽出した各系統のタイムコードに従いｎ系統のＴＣ抽出部からそれぞれ記憶されている信号ストリームを読み出すＴＳｒ制御部と、各系統のタイムコードに基づき取り込んだ上記ｎ系統の信号ストリームを上記元の所定の高ビットレートの信号ストリームになるよう統合する統合部を有する伝送システムである。
さらに、ｎ系統のＴＳ作成部は、作成される信号ストリームに、適宜所定の低伝送レートに合わせるためのダミーデータストリームを所定のタイムコードを付けて挿入するものである。
また、ＴＳtc作成部は、所定の高ビットレートの信号ストリームの同期コードを検出し、該同期コードの前に１ワードのタイムコードを付けた２０５ワード単位の信号ストリームを生成するものである。
また、ＴＳtc作成部は、所定の高ビットレートの信号ストリームを２０２ワードを単位とし、同期コード１ワードとタイムコード１ワードを付加した信号ストリームを生成するものである。
また、ＴＳtc作成部は、所定の高ビットレートの信号ストリームを２０３ワードを単位とし、同期コード１ワードとタイムコード１ワードを付加した信号ストリームを生成するものである。
【０００５】
すなわち、本発明は、高ビットレートの信号を、複数の系統に配分し伝送するもので、ＭＰＥＧエンコーダ等からの高ビットレートの信号ストリームＴＳは、配分部によってオリジナルの順番を示すタイムコードを付加された後、複数系統、例えば、２系統の低レート信号(ＴＳａ，ＴＳｂ)に配分される。  この低レート信号に配分された信号は、複数組の伝送機器を用いて受信側に伝送される。  当該複数の配分信号は再統合部によってタイムコードに従いまとめられ、元の高ビットレートの信号ストリームに戻され、ＭＰＥＧデコーダ等に入力される。
ここで、信号ストリームＴＳは、区切りを示す特定な同期コード(４７ｈ)を、２０４ワード(Ｗ)毎に持つ。  この同期コードの位置を基準に、順番を示すタイムコード１Ｗを付加する。  その後、タイムコード付ストリームＴＳは一定量（２０５Ｗ）ごとに複数組に配分される。
例えば、伝送機器２組の合計のビットレートが信号ストリームＴＳのビットレートの２０５／２０４倍と完全一致し、伝送路２組の各伝送レートが同一であれば、信号ストリームＴＳは以下に示すように交互２組に均等に分配される。
ＴＳａ：ＴＳＤ(1)、ＴＳＤ(3)、ＴＳＤ(5)、ＴＳＤ(7)、ＴＳＤ(9)、…
ＴＳｂ：ＴＳＤ(2)、ＴＳＤ(4)、ＴＳＤ(6)、ＴＳＤ(8)  …
しかし、伝送路２組の各レートが同一でない場合、ＴＳは交互２組に均等分配されず、以下に示すように、ａ系統に５番目、６番目のＴＳが連続的に取り込まれるケースも生じる。
ＴＳａ：ＴＳＤ(1)、ＴＳＤ(3)、ＴＳＤ(5)、ＴＳＤ(6)、ＴＳＤ(9)  …
ＴＳｂ：ＴＳＤ(2)、ＴＳＤ(4)、ＴＳＤ(7)、ＴＳＤ(8)…
【０００６】
さらに、伝送機器２組の合計レートが、信号ストリームＴＳのビットレートの２０５／２０４倍と不一致、即ち信号ストリームＴＳのビットレートの２０５／２０４が２組の合計ビットレートよりも小さい場合、不足分はダミーデータとして、不要のデータストリームＧｓを挿入することで解消する。
ＴＳａ：ＴＳＤ(1)、ＴＳＤ(3)、Ｇｓ、ＴＳＤ(6)、ＴＳＤ(8)  …
ＴＳｂ：ＴＳＤ(2)、ＴＳＤ(4)、ＴＳＤ(5)、ＴＳＤ(7)、ＴＳＤ(9)  …
このように、ＴＳａとＴＳｂには、ビットレートの差に応じてダミーデータが含まれる。  差が大きい場合は、ダミーデータが含まれる割合も増加する。
なお、ダミーデータＧｓには、順番を示す０から２４０までの値のタイムコードでなく不要であることを示すコード２５５を付加する。
２系統に配分され、受信側に伝送された信号ストリームＴＳarとＴＳbrには、不要なダミーデータがビットレート合わせのため挿入されている。  このダミーデータは、特定のタイムコード値２５５を割り当ててあるため、必要とする信号ストリームＴＳと区別が可能であり、除去することができる。
なお、必要とする信号ストリームＴＳは、２系統に交互に配分されていないため、ａ系統とｂ系統の取り出し順序を考慮しないと元の並びに戻らない。  このためタイムコードを調べ、若い値を持った信号ストリームＴＳから順に取り出し、２組のデータをオリジナル順に並べ直す。
そして、配分部で付加したタイムコード類を取り除き、オリジナルな正味データのみを抽出する。
この状態では、ＴＳデータは時間的に間欠状態であるため、メモリ等を使い、時間伸張し、信号ストリームＴＳを連続化して出力する。  なお、出力クロックは、ダミーデータを除いた正味データの量から再生したクロックを用いる。
【０００７】
【発明の実施の形態】
本発明の伝送装置の全体構成の一実施例を図１に示し、以下詳細に説明する。なお、本実施例では、説明を分かり易くするために、高ビットレートの信号を、２系統の低ビットレートの信号ストリームに配分して伝送する場合を例として説明するが、これに限定されるものではなく、伝送する信号のビットレートと伝送装置の伝送レートに応じて、３系統以上に配分して伝送するものであっても良いことは明らかである。
該伝送装置は、送信側に、高精細映像信号(ＨＤＴＶ信号)を、所定の高ビットレート(例えば、１５Ｍｂｉｔ／ｓ)の信号に圧縮し、高ビットレートの信号ストリームＴＳを出力するＭＰＥＧエンコーダ１３Ｅと、この高ビットレートの信号ストリームＴＳを、オリジナルの信号の順番を示すタイムコードＴＣの付加された２系統の低ビットレート(例えば、８Ｍｂｉｔ／ｓ)の信号ストリームＴＳａとＴＳｂに配分して出力する配分部２２と、この信号ストリームＴＳａ，ＴＳｂをそれぞれ伝送する２つのＦＰＵ送信機（例えば、８００ＭＨｚ帯のＯＦＤＭ方式のＦＰＵ送信機−以下、送信８００Ｍ−ＦＰＵと称す）１０Ｔａ，１０Ｔｂを有する。
そして、受信側には、上記信号ストリームＴＳａとＴＳｂをそれぞれ受信する２つのＦＰＵ受信機（例えば、８００ＭＨｚ帯のＯＦＤＭ方式のＦＰＵ受信機−以下、受信８００Ｍ−ＦＰＵと称す）１０Ｒａ，１０Ｒｂと、受信した信号ストリームＴＳarとＴＳbrを、付加されたタイムコードＴＣに従いまとめ、元の信号ストリームＴＳｒに再統合する再統合部２１と、この信号ストリームＴＳｒを元の所定の高ビットレートの高精細映像信号に復号するＭＰＥＧデコーダ１３Ｄを有する。
ＨＤＴＶの高精細映像信号は、ＭＰＥＧエンコーダ１３Ｅで所定の高ビットレート(例えば、１５Ｍｂｉｔ／ｓ)の信号に変換される。  そして、ＭＰＥＧエンコーダ１３Ｅからの高ビットレートの信号ストリームＴＳは、配分部２２によってオリジナルの信号の順番を示すタイムコードが付加された後、低ビットレート（例えば、８Ｍｂｉｔ／ｓ）の信号ストリームＴＳａとＴＳｂに配分される。  そして、この信号ストリームＴＳａ，ＴＳｂは、送信８００Ｍ−ＦＰＵ１０Ｔａ，１０Ｔｂを用いて受信側に伝送される。
受信側では、受信８００Ｍ−ＦＰＵ１０Ｒａ，１０Ｒｂで、伝送されたそれぞれの信号ストリームＴＳａとＴＳｂを受信する。  そして、再統合部２１で受信した信号ストリームＴＳarとＴＳbrを、付加されたタイムコードに従いまとめ、元の信号ストリームＴＳｒに再統合する。  そして、この再統合された信号ストリームＴＳｒは、ＭＰＥＧデコーダ１３Ｄで元の所定の高ビットレートの高精細映像信号に復号される。
【０００８】
以下、配分部２２の具体的な構成、動作について、図２、図４、図６を用いて、詳細に説明する。
ＭＰＥＧエンコーダ１３Ｅから出力される信号ストリームＴＳは、この信号の順番を示すタイムコードＴＣ付きの信号ストリームＴＳを作成する、ＴＳｔｃ作成部２３内の同期コード位置検出部２３−１とメモリ２３−３に入力される。  クロックＣＫtsは、メモリ制御部２３−２とクロック(ＣＫ)発生部２４Ｔに入力される。  メモリ制御部２３−２からのメモリ書込み制御信号Ｗcntと読出し制御信号Ｒcntは、メモリ２３−３に入力される。  メモリ２３−３の出力ＴＳｉは、タイムコードＴＣを挿入するＴＣ挿入部２３−４に出力される。
ＴＣ挿入部２３の出力ＴＳｔｃは、ａ系統の信号ストリームＴＳａを作成するＴＳａ作成部２５ａと、ｂ系統の信号ストリームＴＳｂを作成するＴＳｂ作成部２５ｂに入力される。  クロック(ＣＫ)発生部２４Ｔの出力ＣＫttは、ＴＳｔｃ作成部２３およびＴＳａ作成部２５ａと、ＴＳｂ作成部２５ｂ内のメモリ制御部２５−１に入力される。  また、ＴＳａ作成部２５ａとＴＳｂ作成部２５ｂ内のメモリ制御部２５−１からのメモリ蓄積量を示すａ△とｂ△は、ＴＳ作成制御部２６に入力される。
ＴＳ作成制御部２６からのＴＳａの読み出しを指示する信号ＲＳtaは、ＴＳａ作成部２５ａ内のメモリ制御部２５−１に入力される。  またダミーデータＧＳの出力を指示するＧＳtaは、ＴＳａ作成部２５ａ内のＧＳ挿入部２５−３に入力される。
同様に、ＴＳ作成制御部２６からのＴＳｂの読出しを指示する信号ＲＳtaは、ＴＳｂ作成部２５ｂ内のメモリ制御部２５−１に入力される。  また、ダミーデータＧＳの出力を指示するＧＳtbは、ＴＳｂ作成部２５ｂ内のＧＳ挿入部２５−３に入力される。
ＴＳ作成制御部２６からのＴＳａ系統、ＴＳｂ系統への書き込みを指示する信号Ｗsta，Ｗstbは、ＴＳａ作成部２５ａ、ＴＳｂ作成部２５ｂ内のメモリ制御部２５−１に入力される。
【０００９】
次に、各部の動作について、説明する。
同期コード(４７)位置検出部２３−１は、入力されたＴＳ信号の２０４Ｗ毎に含まれる同期コードを検出し、その時間的位置を示すパルスｄｔｓを出力する。メモリ制御部２３−２とメモリ２３−３は、同期コード位置を示すパルスｄｔｓに従い、クロックＣＫtsの速度で、ＴＳ信号を２０４Ｗずつ、メモリ２３−３に書き込む。  また、クロックＣＫttの速度で２０４Ｗを連続して読み出したら、１Ｗ休む２０５Ｗ周期の処理を繰り返す。  この結果、１Ｗ分のスペースが空いたデータストリームＴＳｉが作成される。
ＴＣ挿入部２３−４は、上記の１Ｗの空き期間にタイムコードＴＣを出力し、タイムコード１Ｗ＋ＴＳ２０４ＷのＴＳtc信号を作成する。  ここで、このタイムコードＴＣとしては、１Ｗ８ビットであるから、２５６種の値が与えられる。しかし、信号の順番を表すタイムコードとしては２５０種に限定し、残る６種は、ダミー用のコードとしておく。  即ち、タイムコードＴＣは、０番から２４９番までを巡回的に使用し、ダミー用コードして例えば２５５番を割り当てる。
クロック(ＣＫ)発生部２４Ｔは、入力されたクロックＣＫtsの周波数を２０５／２０４倍した周波数のクロックＣＫttを発生する。
メモリ制御部２５−１とメモリ２５−２は、書き込み指示信号Ｗstaに従い、タイムコードＴＣ付きの信号ストリームＴＳtcを２０５Ｗ単位にメモリ２５−２に書き込む。
また、読み出し指示信号ＲＳtaに従い、メモリ２５−２から２０５Ｗ単位で、信号ストリームＴＳtcの読み出しを行う。
なお、メモリ２５−２への書き込み量と読み出し量の差分を、例えば２０４Ｗもしくは２０５Ｗを単位として、ａ△として、出力する。
【００１０】
ＧＳ挿入部２５−３は、ダミー挿入指示信号ＧＳｔが無い場合は、入力データを素通りさせる。  ダミー挿入指示信号ＧＳｔがある場合は、ＴＣ値２５５としたダミーデータ２０４Ｗからなる信号ストリームＴＳａを出力する。
ＴＳ作成制御部２６は、信号ストリームＴＳtcの２０５Ｗ毎に、ａ△とｂ△を比較し、小さい△値を持つＴＳ作成部側に、書き込みを指示する信号Ｗstを出力する。  小さい△値は、メモリ蓄積量に余裕のある側であることを示す。  なお両者が同一値であった場合、ａ系統を優先し、Ｗｓtaを出力する。  この結果、信号ストリームＴＳtcは、ＴＳａ作成部２５ａ、ＴＳｂ作成部２５ｂの伝送速度に応じて配分され、取り込まれる。
次に、ａ△が所定値(例えば、７)以上に達したら、読み出し指示信号ＲＳtaの出力を開始し、メモリ２５−２に蓄積された信号ストリームＴＳtcを読み出していく。  同様に、ｂ△が所定値(例えば、７)以上に達したら、読み出し指示信号ＲＳtbの出力を開始する。  これにより２系統に配分された信号ストリームＴＳｔｃは、各メモリ２５−２から連続的に出力され、信号ストリームＴＳａとＴＳｂとなる。  ここで、入出力のビットレートの不一致により、△値が所定値未満になる読み出しデータ不足が生じた場合は、読み出し指示信号ＲＳta、ＲＳtbの代わりに、ダミーデータ読み出し指示信号ＧＳtaか、ＧＳtbを出力し、ａ系統、ｂ系統のデータでなく、ダミーデータＧＳを出力させる。
【００１１】
次に、配分部２２の全体的な動作について、図４のタイムチャートを用いて、詳細に説明する。
ＭＰＥＧエンコーダ１３Ｅからの出力ＴＳは配分部２２によって、同期コード同期コードを先頭に２０４Ｗを単位に、TSD1，TSD2，TSD3，TSD4，TSD5，・・・に配分される。  メモリ２３−３は、この同期コードの直前に１Ｗの空き期間を設けたＴＳｉを作成する。  ＴＣ挿入部２３−４は、この期間にタイムコードＴＣを挿入し、タイムコード付の信号ストリームＴＳtcを作成する。
ＴＳ作成制御部２６で、△ａと△ｂの値を比較し、対応する書き込み指示信号Ｗｓta，Ｗｓtbを出力する。  ここで、両者が同一値である場合、ａ系統を優先させるよう設定しておく。  図４では、信号ストリームＴＳＤ１の入力時点では同一値であり、Ｗｓtaが出力される。  従って、ＴＳａ作成部２５ａがＴＳＤ１を取り込む。  ＴＳＤ２の入力時点は、△ａ＜△ｂであるから、ｂ系統に取り込まれるよう、Ｗｓtbが出力され、ＴＳｂ作成部２５ｂがＴＳＤ２を取り込む。
時刻ｔ０１において、△ａが所定値に達したとする。  すると、ＴＳ作成制御部２６は、読み出し指示信号ＲＳtaをＴＳａ作成部２５ａに出力する。  これによって、ＴＳａ作成部２５ａは、伝送クロックＣＫａのレートで信号ストリームＴＳａの出力を開始する。  時刻ｔ０２では、△ｂも所定値に達し、ＴＳ作成制御部２６から、読み出し指示信号ＲＳtbが、ＴＳｂ作成部２５ｂに出力される。そして、伝送クロックＣＫｂのレートで、信号ストリームＴＳｂの出力が開始される。  以下同様に、時刻ｔ０４まで動作する。
そして、時刻ｔ０５において、入出力のビットレートの不一致により、△ａ値が所定値未満になる読み出しデータ不足が生じ、読み出し指示信号ＲＳtaの代わりに、ダミーデータ読み出し指示信号ＧＳtaがＴＳａ作成部２５ａに出力され、ａ系統のＴＳＤ５でなく、ダミーデータＧＳの出力が開始される。
この様に、２系統に配分され、また、時々ダミーデータが混ざったストリームＴＳａとＴＳｂは別個の伝送系で受信点に送られる。  ここで、伝送経路の微妙な違い等によって、信号ストリームの到達時間に差が生じる。  従って、再統合部２１に入力されるストリームＴＳarとＴＳbrのタイミングは、配分部２２から出力されたＴＳａとＴＳｂの状態と異なる。
【００１２】
次に、再統合部２１の具体的な構成、動作について、図３、図５、図６を用いて、詳細に説明する。
受信８００Ｍ−ＦＰＵ１０Ｒａからの入力信号ストリームＴＳarは、ＴＣ抽出部２７ａ内のＴＣ検出部２７−１とメモリ２７−３に入力される。  入力信号の速度に同期したクロックＣＫａは、メモリ制御部２７−２に入力される。  ＴＣ検出部２７−１出力ｄｔａは、クロック(ＣＫ)発生部３０に入力される。  メモリ制御部２７−２の出力ＷcntとＲcntは、メモリ２７−３に入力される。  メモリ２７−３の出力Ｔａは、ＴＣ抽出器２７−４と統合部２９内の選択部(ＳＥＬ)２９−１に入力される。
同様に、受信８００Ｍ−ＦＰＵ１０Ｒｂからの入力信号ストリームＴＳbrは、ＴＣ抽出部２７ｂに入力される。  入力信号の速度に同期したクロックＣＫｂはＴＣ抽出部２７ｂに入力される。  ＴＣ抽出部２７ｂの出力ｄｔｂは、クロック(ＣＫ)発生部３０に入力される。  ＴＣ抽出部２７ｂの出力Ｔｂは、統合部２９内の選択部(ＳＥＬ)２９−１に入力される。
クロック(ＣＫ)発生部３０の出力ＣＫｒは、統合部２９内のメモリ制御部２９−２に入力される。
クロック(ＣＫ)発生部２４Ｒの出力ＣＫrrは、ＴＣ抽出部２７ａ内のメモリ制御部２７−２に、またＴＣ抽出部２７ｂに、また統合部２９内のメモリ制御２９−２に入力される。
ＴＣ抽出部２７ａ内のＴＣ抽出器２７−４の出力ＴＣａは、ＴＳｒ制御部２８に入力される。  同様に、ＴＣ抽出部２７ｂの出力ＴＣｂは、ＴＳｒ制御部２８に入力される。
ＴＳｒ制御部２８の出力ＲＥａは、ＴＣ抽出部２７ａ内のメモリ制御部２７−２に入力される。  ＴＳｒ制御部２８の出力ＲＥｂは、ＴＣ抽出部２７ｂに入力される。  また、ＴＳｒ制御部２８の出力ＳＥＬは、統合部２９内の選択部であるＳＥＬ２９−１の制御端子に入力される。  また信号Ｗstは、統合部２９内のメモリ制御部２９−２に入力される。  ＳＥＬ２９−１の出力Ｔｓｅｌはメモリ２９−３に入力される。  メモリ制御部２９−２の出力ＷcntとＲcntは、メモリ２９−３に入力される。  メモリ２９−３の出力はＴＳｒとして出力される。
【００１３】
次に、各部の動作について説明する。
ＴＣ抽出部２７ａ内のＴＣ検出部２７−１は、入力されたストリームＴＳar中の同期コードを基準に、タイムコードＴＣの値を調べ、前述の様にその値が０番から２４０番である場合には必要なデータであるため、その旨を示すｄｔａパルスを出力する。
メモリ制御部２７−２とメモリ２７−３は、このｄｔａパルスに従って、このＴＳarの２０５ワード(Ｗ)を、クロックＣＫａでメモリ２７−３に書き込む。
ＴＣ抽出器２７−４は、読み出されたＴＣ値を取り込み、その値を保持して、ＴＣａとして出力する。  ＴＣ抽出部２７ｂも同様動作により、ｄｔｂパルス、ＴＣｂ値を出力する。
クロック(ＣＫ)発生部２４Ｒは、クロックＣＫａとＣＫｂの周波数の合計値と同一もしくは僅かに高い周波数に設定されたクロック周波数ＣＫrrを出力する。
クロック(ＣＫ)発生部３０は、各ストリームＴＳarとＴＳbrのダミーデータを除いた、有効書き込み回数と、統合されたＴｓｅｌの読み出し回数が一致するような周波数のクロックを発生する。
ＴＳｒ制御部２８は、前述の様に、ＴＣ抽出部２７ａ，２７ｂ内のメモリへの書き込み量と読み出し量の差分△ａｒもしくは△ｂｒが所定値(ここでは７)以上に達したら、タイムコードＴＣａとＴＣｂの値を比較し、値の若い側にのみ読み出し制御信号ＲＥを出力し、対応するストリームＴＳを読み出す。  また、同時に、選択部２９−１にＳＥＬパルスを出力し、信号Ｗｓｔをメモリ制御部２９−２に出力する。  つまり、読み出される系統のストリームが、メモリ２９−３に接続されるように、選択部２９−１を切り替え、かつメモリ２９−３に書き込むため、Ｗcnt信号を出力する。  そして、読み出される系統のストリームＴＳの読み出しが完了した時点で、読み出された系統では、次のストリームＴＳのタイムコードがＴＣａもしくはＴＣｂにセットされて、新たなタイムコードが、ＴＳｒ制御部２８に入力される。  そして、再度、ＴＣａとＴＣｂの値を比較し、読み出す系統のストリームを決定する。
選択部２９−１は、制御信号ＳＥＬに従って、ストリームＴａもしくはＴｂを選択し出力する。  メモリ制御部２９−２、メモリ２９−３は、書き込み指示信号ＷｓｔとクロックＣＫrrに従い、Ｔｓｅｌ信号をメモリ２９−３に取り込む。そして、読み出し制御信号ＲＥａ，ＲＥｂとクロックＣＫｒに従い、蓄積されているストリームＴｓｅｌを読み出す。
【００１４】
次に、再統合部２１の全体的な動作について、図５のタイムチャートを用いて詳細に説明する。
ａ系統のストリームＴＳａにおいて、第１番目のデータＴＳＤ１が持つタイムコードＴＣは、有効データを示す値１であるため、ｄｔａが出力されメモリ２７−３に取り込まれる。  さらに、２番目のＴＳＤ３が持つタイムコードＴＣは、やはり有効データを示す値３あるから、ｄｔａが出力されメモリ２７−３に取り込まれる。  ３番目のタイムコードＴＣは、ダミーデータを示すコード２５５であるから、ｄｔａは出力されず、メモリ２７−３へ取り込まれない。
メモリ２７−３に取り込まれた０から２４０までのタイムコードＴＣを持ったストリームＴＳＤｎは、メモリ２７−３に蓄えられている、最も古いストリームＴＳＤのタイムコード値のみを読み出し、その時点で待機する。
同様に、ＴＣ抽出部２７ｂ内のメモリに取り込まれたＴＣ付きの各ＴＳｂは、最初に取り込まれたＴＣ値のみ読み出し、待機する。
ここで、メモリ２７−３の書き込み量と読み出し量の差分△ａｒが、所定値７以上に達していた場合、ｂ系統のＴＣ値と比較し、ａ系統の方が若い番号のＴＣ値を持っていれば読み出しを行う。
例えば、時刻ｔ１１において、前記条件を満足していたとする。  この場合、付加されたタイムコードＴＣを抽出して得たＴＣａとＴＣｂを比較し、小さい方の値「１」を持つａ系統の読み出しを行う。  具体的には、ＴＣ抽出部２７ａにＴＳｒ制御部２８からＲＥａ信号が出力される。  その結果、メモリ２７−３に蓄えられていたストリームＴＳＤ１が、読み出される。
【００１５】
次に、時刻ｔ１２において、付加されているタイムコードＴＣを抽出して得たＴＣａとＴＣｂを比較して、小さいＴＣ値（２）を持つｂ系統の読み出しを行宇ことで、ＴＳＤ２が読み出される。
以後、ＴＣの値に従って、何れかの系統のストリームを読み出す。  ここで、差分△ａｒが所定値７未満になった場合、読み出しを一時休止し、読み出しデータの枯渇を防止する。
以上の様にして、時刻ｔ１１にａ系統からＴＳＤ１、時刻ｔ１２にｂ系統からＴＳＤ２、時刻ｔ１３にａ系統からＴＳＤ３、時刻ｔ１４にｂ系統からＴＳＤ４が読み出される。
ここで、ＴＳｒ制御部２８からのＳＥＬパルスは、時刻ｔ１１にレベルＨとなりａ系統のストリームを、時刻ｔ１２にレベルＬとなりｂ系統のストリームを、時刻ｔ１３にレベルＨとなりａ系統のストリームを選択する。
メモリ２９−３は、次のＴＳＤと時間的に間の空いた前詰め状態のＴＳＤストリームを取り込み、連続したクロックで読み出すことで、各ＴＳＤの切れ目に空き時間の無い連続した状態とする。
【００１６】
なお、上記実施例では高ビットレートの信号を２系統に配分して伝送する場合を例に説明したが、本発明は、これに限定されず、伝送される入力信号のビットレートと配分伝送する伝送装置の伝送レートに応じて３系統以上に配分して伝送するものでも同様に動作するものである。  また、複数の伝送装置の伝送レートは、各々が同一もしくは異なるビットレートでも良い。
また、上記実施例では、図６の（ａ）に示すように、２０４Ｗ毎に入力ＴＳを分断し、ＴＣ情報を１ワード付加する例を示した。  しかし、図６の(ｂ)に示すように、入力ＴＳを２０２Ｗ毎に分断し、同期コード４７とタイムコードの２Ｗを付加するストリーム構成としても良い。
この場合の配分部２２ｍ、再統合部２１ｍの具体的な構成を図７、図８に示し、図２、図３と異なる部分について、簡単に説明する。
メモリ制御部２３ｍ−２は、ストリームＴＳを一意的に２０２Ｗで分割する。ＴＣ／ＳＹＮＣ挿入部２３−４は、同期コードとして４７ｈを、タイムコードとして０番から２５０番までを、ストリームＴＳｉに挿入し、ＴＳtcを作成する。クロック発生部２４Ｔは、２０４／２０２倍のクロックＣＫttを発生する。
再統合部２１ｍは、同期コード＋タイムコード＋データ(２０２Ｗ)から構成される２０４ＷのストリームＴＳを単位に動作する。  つまり、この実施例では、２０５／２０４Ｗ単位で動作していた部分を２０２Ｗタイプに置き換えたものである。
【００１７】
【発明の効果】
以上説明したように本発明によれば、高ビットレートのデータストリームを、複数の低伝送レートの伝送装置を用い、配分して伝送することができる。  そのため、汎用性が高いが伝送レートが低い伝送装置でも、高ビットレートの信号を伝送できるシステムが実現する。
【図面の簡単な説明】
【図１】本発明のデジタル伝送システムの全体構成の一実施例を示すブロック図
【図２】本発明の配分部の一実施例を示すブロック図
【図３】本発明の再統合部の一実施例を示すブロック図
【図４】本発明の配分部の動作を説明するためのタイムチャート
【図５】本発明の再統合部の動作を説明するためのタイムチャート
【図６】本発明のタイムコードを付加した信号ストリーム形態を示す模式図
【図７】本発明の配分部の第２の実施例を示すブロック図
【図８】本発明の再統合部の第２の実施例を示すブロック図
【符号の説明】
１０Ｔ：伝送装置(送信側)、１０Ｒ：伝送装置(受信側)、１３Ｅ：ＭＰＥＧエンコーダ、１３Ｄ：ＭＰＥＧデコーダ、２１，２１ｍ：再統合部、２２，２２ｍ：配分部、２３，２３ｍ：ＴＳｔｃ作成部、２４Ｔ，２４Ｒ，３０：クロック発生部、２５ａ，２５ａｍ：ＴＳａ作成部、２５ｂ，２５ｂｍ：ＴＳｂ作成部、２６，２６ｍ：ＴＳ作成制御部、２７ａ，２７ａｍ：ＴＳａ抽出部、２７ｂ，２７ｂｍ：ＴＳｂ抽出部、２８，２８ｍ：ＴＳｒ制御部、２９，２９ｍ：統合部、２３−１：同期コード位置検出部、２３−４：ＴＣ挿入部、２５−３：Ｇｓ挿入部、２７−１：ＴＣ検出部、２７−４：ＴＣ抽出器。
【図１】
0004294888.tif 000002
【図２】
0004294888.tif 000003
【図３】
0004294888.tif 000004
【図４】
0004294888.tif 000005
【図５】
0004294888.tif 000006
【図６】
0004294888.tif 000007
【図７】
0004294888.tif 000008
【図８】
0004294888.tif 000009